(57)【要約】      （修正有）【課題】道路照明光度均一性と光利用率を高めるＬＥＤ街路反射板を提供する。【解決手段】反射板は基板１１０を含める。基板上に若干の反射カップ１２０を設置して、反射カップのその開き方向の違いにより二組に分け、組毎反射カップ内の反射カップの開き方向は一致し、組別の反射カップの開き口方向は、道路の走行方向と逆になっている。本反射板は道路上では、光度均一のスペクトルを形成して、その光損耗は小さい。【選択図】図１
0003158787.tif 000002
【実用新案登録請求の範囲】
【請求項１】
LED街灯の反射板です。
それは基板を含めて、基板は若干の反射カップを設置します。その特徴は：若干の反射カップは、その開き口方向の違いにより二組を分けます。組毎の反射カップ組内の反射カップの開き方向は一致になり、異なった組別の反射カップの開き方向は、道路の走行方向と逆になります。
【請求項２】
請求項１に基づくLED街灯の反射板です。
その特徴は反射カップが頂上部、底部及び頂上部と底部を連結する反射部を含めます。反射部は「内横面」、「外横面」、「内直面」、「外直面」  という四つ面により構成されます。「外横面」と「外直面」は平面、「内直面」と「内横面」は曲面です。
【請求項３】
請求項２に基づくLED街灯反射板です。
その特徴は「内直面」は円柱面、「内横面」は放物面です。
【請求項４】
請求項１に基づくLED街灯反射板です。
その特徴は基板に若干の基準ホールを設けて、基準ホールは反射カップを乗せる用途です、反射カップの底部に反射カップ位置超過の防止枠を設けてあります。
【請求項５】
請求項４に基づくLED街灯反射板です。
その特徴は反射カップの裏側に留め金を設置して、基板の裏側に留め金と配合するスロットを設置して、留め金に強化筋をつきます；基準ホール縁の放射状方向に若干の凸状筋を設置します。反射カップの外横面の背面にブラケットを設けてあります。
【請求項６】
請求項２に基づくLED街灯反射板です。
その特徴は外横面と基板の夾角は25〜45度の間、内横面と基板の夾角は70〜90度の間です；外直面と基板の夾角は50〜70度の間、内直面と基板の夾角は95〜100度の間です。
【考案の詳細な説明】
【技術分野】
【０００１】
本発明はLED街灯の技術分野に属して、具体的にLEDランプ反射板の構造に関わります。
【背景技術】
【０００２】
大功率LED（1個のLEDランプの功率は1W以下）の照明は、現在世界に公認された伝統照明を取って代わる革命的な技術です。ハイパワーのLED電灯は現在の大効率の街灯・投光照明のモデルチェンジ製品となります。
【０００３】
LEDは街灯とする場合に、LED粒の照明角度が小さくて、光の照射面の不均一により路面が比較的に暗くてあるいは光の利用率が低い。街灯のベスト照明範囲は一つ長方形のスペクトル、その長方形スペクトルの長辺は道路の走行方向と一致して、短辺は道路の幅方向と一致にします。
【考案の概要】
【考案が解決しようとする課題】
【０００４】
しかし、多数の現在既存技術が採用するレンズ集光の街灯器具の照明スペクトルは、1つ円形照明エリアです。相隣する二つ街灯が形成したスペクトルは繋がられなくて、道路上の一つ一つ暗いエリアを形成して、大幅に均一度の指標をダウンしました；しかし、道路の幅方向に円形照明区の二つ縁に大量の無効照明範囲を存在したので、無駄になります。
【０００５】
本発明の目的は、道路照明光度均一性と光利用率を高めるLED街灯反射板を提供します。本発明の上記技術目的は、以下の技術案により実現します。
【課題を解決するための手段】
【０００６】
LED街灯の反射板です。それは基板を含めます。基板に若干反射カップを設けて、若干反射カップは開き口方向の違いにより二組を分けて、組毎に反射カップ内の反射カップの開き方向は一致して、異なった組の開き口方向は道路の走向方向と逆になります。
【０００７】
本発明のLED街灯反射板は、LED街灯が発生する光を再分配することにより、複数の発光ダイオードにより構成された街灯は複数の反射カップに反射された光は、別々に道路の二つ方向向きに照射します。
【０００８】
最適化として、複数の反射カップは基板の上に長方形に分布して、全体のLED街灯照射エリアは長方形になり、道路の形状と会わせて、光の利用効率を高めました。
【０００９】
本発明の目的を実現するために、基板は反射カップと一体に接続することが出来ます。反射カップは基板と分体製作後に接続する構造を最終することができます。一体接続の方式を採用すると組立て必要がない。基板は反射カップ間に接続を固定する構造が入らない、そのためにそのコストも比較的に低いです。
【００１０】
ただし、反射カップの反射面に対して表面処理する必要があり、もし、基板は反射カップとの間に分体接続方式を採用すると、反射カップの反射面に対して、単独処理を行って、その工程は非常に簡単です。また、ある反射カップは故障が出る場合、直接に交換できて、全体の反射板を廃棄しなくても済みます。そのために、本発明の最適化は反射カップが基板と分体接続します。
【００１１】
上記の案の一層最適化として、基板の上に反射カップを受けるための基準ホールを若干に開設して、反射カップは基板の基準ホール内に接続されます。
【００１２】
本発明の最適化として、反射カップは頂上部、底部及び頂上部と底部を接続する反射部を含めます。反射カップは底部と頂上部があります。頂上部と底部とも口状の断面になり、頂上部は発行ダイオードを据付用です、通常は底部の開き口の方が大きいです。それの反射部は、上場部の発行ダイオードの発光は、街灯下側の地面に反射されます。
【００１３】
基板により作成されたLED街灯は道路の両側に据え付けます。道路の走向方向とは、基板はLED街灯に据付して実際に使用する時に、当時の基板と道路の位置関係により、道路沿いの走向方向を確定します。この方向では、二組反射カップの開き口方向は違います。この二組の反射カップは、道路の走向方向では前後の二つ異なった方向へ光を発射することができます。
【００１４】
道路の走向方向に一段の距離置きに1個LED街灯を設置して、相隣する二つLED街灯の間のエリアは、二枚のLED街灯中の二組発光するダイオードにより照明されて、二組発光するダイオードはそれぞれに二枚のLED街灯によります。本分野の技術者はこのように理解することが出来ます。反射カップの底部は反射板の開き口部であり、反射カップ底部と反射カップ頂上部の連続部を接続する方向とは、本発明の開き口方向のことです。
【００１５】
発光ダイオードの射程が短くて、発射散乱情況は厳重です。しかも、街灯が要求する照明効果は局部照明のみです。即ち、道路の路面を照らせばよいです。もし光は直接にその他エリアに照射すると効率ダウンすることになります。本発明の反射カップは、発光ダイオードが発射する散乱光をまとめて、道路の路面に投射します。同時に反射カップを二組に分けて、道路走行の二つ逆方向により投射しますので、LED街灯が道路路面上に集中分布するスペクトルを形成することが出来ます。こうすると、極少の光のみが非路面エリアに浪費されました。
【００１６】
本発明は反射カップの底部は長方形とする案は、各反射カップに照射されたエリアは長方形のスペクトルに形成させて、この道路形状の特徴に合致して、一層多くに光の無駄を減少することが出来ます。同時に光が均一に発散分布するように保証できます。
【００１７】
本発明は複数発光ダイオードを採用してLED街灯を構成して、複数ダイオードが形成したスペクトルの重なりにより、一つ明るいLED街灯スペクトルを構成します。前記のようにスペクトルはただ道路の走向方向にカバして、光はその他エリアに無駄していない。同時に、長方形の開き口を採用して、長方形のスペクトルを形成することにより、スペクトルの形状は道路の形状に合致するだけでなく、同時に街灯の間にスペクトルの間には出来るだけ重なりと暗影を減少させます。
【００１８】
同時にスペクトルのどこの光度も一致になります。本発明はスペクトルが必要する各部分の光度を同等に調整します。上記の目的に達成するために、反射部の四つ面は「内横面、外横面、内直面、外直面」です。外横面と外直面は平面で、内直面と内横面は曲面です。
【００１９】
上記の四つ面の名称は、反射板の使用状態時に理解すべきです。この時、LED街灯は電気柱に支えられて道路片側の上側にあります。反射カップは基板に据付けて、各反射カップにとっては、電気柱に近くて道路の走向方向と平行する面は「内直面」と言います；電気柱と遠くはなれて走向方向と平行する面は「外直面」と言います；電気柱に近くて道路の走向方向と垂直する面は「内横面」と言います；電気柱と遠くはなれて走行方向と垂直する面は「外横面」と言います。
【００２０】
上記案の最適化として、内横面は「放物面」、内直面は「円柱面」です。上記の最適化案は、取得するスペクトルの光度一致性は良くて、均一度が良いです。
【００２１】
上記案の一層最適化として、外横面と基板の夾角は25〜45度の間、内横面と基板の夾角は70〜90度の間です。
【００２２】
上記の各面は曲面になる可能性があるので、ここで本発明の「夾角」について詳細に定義する必要があります。「夾角」とは、当該面は反射カップ頂上部と底部相応点の接続ラインは基板平面との角を指します。
【００２３】
一層良く光は道路横方向上の分布を制御するために、「外直面」と基板の「夾角」は50〜70度の間、「内直面」と基板の「夾角」は95〜110度の間です。
【００２４】
通常道路用電気柱の高さ及び地面の幅に基づいて、更によくスペクトルの光度一致性を制御するために、反射カップの高さは0.5〜1.5cmの間です。高さは各面との配合により、反射カップは一層優れたスペクトルを取得することが出来ます。
【００２５】
反射カップは更に安定に基板に設置させるために、本発明の基板の基準ホールは反射カップを受けるに用いて、反射カップ底部には反射カップ範囲超過の防止枠を付いてあります。
【００２６】
本発明の最適化として、本発明の反射カップの裏側に留め金を設置して、基板の裏側に留め金と配合するスロットを設置してあります。
【００２７】
上記の留め金、反射カップを基板留め金と合わせて、据付と分解とも非常に簡単です。
【００２８】
通常、本発明の上記製品はプラスチック製なので、留め金とスロットを設計する時に一定の余裕を残ったので、留め金はスロットに入れない情況の発生を防止する為です。しかし、こうすると、反射カップは基板に対する相対移動量が増大になり、反射カップ反射の光線は、設計との偏差が比較的に大きいです。
【００２９】
上記の問題を解決するために、基準ホールの縁放射状方向には若干の凸状筋を付いてあります。基準ホールの口内側に凸状筋を設置して、当該の凸状筋は反射カップの移動を減少出来ます。基準ホールの口の周辺に十分に多い凸状筋を設置すると、反射カップの移動はほとんど途絶できます。
【００３０】
本発明の最適化として、反射カップの外横面の裏側にブラケットが設置されています。本発明の外横面は基板との夾角が比較的に小さくて、基板は更に滑り易いので、反射カップの後側にブラケットを設置することにより、基準ホールの縁と配合に挟まって、移動防止することが出来ます。当基準ホールの縁に凸状筋を設定する時に、ブラケットは直接に凸筋と配合して、更に有効に反射カップの滑りを防止することが出来ます。
【００３１】
本発明の最適化として、留め金に強化筋が付いてあります。
【００３２】
上記一シリーズ最適化の機械的な設計により、本発明は反射カップを一層安定させて、正確に基板と結合して、反射カップの反射効果を保証します。
【００３３】
上記案の最適化として、若干の異なった反射カップが形成した反射カップユニットは、基板に上記のユニットと対応する基準ホールを設けてあります。このように更に反射カップをユニット毎に据付、分解し易くなります。
【考案の効果】
【００３４】
まとめて見ると、本発明は以下の最適化を持っています。
【００３５】
１、本発明は一枚基板の上に、二組異なった照射方向の反射カップユニットを設置し
て、反射カップの形状を最適化することにより、各反射カップが発生するスペクト
ルの光度均一性を保証して、同時に道路形状の特徴により反射カップの形状を最適
化しましした；
２、本発明は反射カップ反射部の構造を最適化して、四面構造を採取して、各面の形
状を最適化することにより、取得したスペクトルは更に均一になり、同時に複数の
スペクトルの重なりは更に順調になり、相隣する光のスペクトルの暗影と集光現象
が減少されます。
【００３６】
３、本発明は反射カップの後ろ側に留め金を設置して、基準ホールの縁に凸状筋等あ
る最適化措置を採取することにより、反射カップ安定と正確な位置を保証して、反
射カップの反射効率を確保しました。
【図面の簡単な説明】
【００３７】
【図１】図1は本発明実施例1のLED街灯反射板の正面全体構造略図です：
【図２】図2は図1のA-A方向の断面図です；
【図３】図3は図2B部の拡大図；
【図４】図4は実施例1の基板背面構造略図です；
【図５】図5は実施例1左開き口方向の反射カップユニット構造略図です；
【図６】図6は実施例1の右開き口方向の反射カップユニット構造略図です；
【図７】図7は実施例1の反射カップユニットの横面透視図です；
【図８】図8は実施例2の反射板の反射面構造略図です；
【図９】図9は実施例2の左開き口方向反射カップ中の発光ダイオードを据え付けた後の構造の略図です；
【図１０】図10は実施例2の発光ダイオードは、反射カップ中の直向き断面の反射効果図であり、図の中の二つ異なった開き口方向の反射カップは、光を道路沿い方向の相反方向です；
【図１１】図11は図9の反射カップ背面構造略図です；
【図１２】図12は実施例2の左右開き口の二つ反射カップ横方向断面反射の効果図です；
【図１３】図13は反射板のLED街灯は道路上に据え付けた状態の略図です。
【考案を実施するための形態】
【００３８】
実施例1：図1-7の通り、LED街灯反射板です。基板（110）を含めます。基板（110）は左右二枚のエリアに分けて、二枚のエリアは対称分布されています。
【００３９】
図の通りに左エリアEのみ詳細に紹介します。左エリアEの中に平行に11個基準ホール（118）を開設して、各基準ホール（118）の中に左側開き口の反射カップユニット（140）を接続して、図5、6、7の通りに、反射カップユニット（140）は、四つの1列に並べて反射カップ（120）により構成されます。
【００４０】
左エリアE中の反射カップユニット（140）の開き口方向が同等してしかも左向きして、反射カップ（120）毎は一つダイオードをカバして、発光ダイオードが発射する光は、反射カップの反射面により反射後に、反射カップの開き方向を沿って射出します。相対的に、右エリアFの反射カップの開き口方向を右に向きます。
【００４１】
そのために、基板（110）の左右二枚エリアが射出した光は、分別に左右に射出されます。図14表示するは、基板（110）が作成するLED街灯は道路における情景です。その中にM、N方向は道路の走向方向です。反射カップ組1と反射カップ組2は分別に相反の方向へ照射して、反射組1はM方向に向き、反射組2はN方向に向きます。こうすると、一個LED街灯はその道路沿い走向方向上の両側同等の距離を照明できて、しかも両側の光照明強度も同じです。
【００４２】
図11の通りに、左開き口方向の反射カップ（120）の底部（126）の上に、反射カップ（120）はホール（118）に挟まる位置超過を防止する為の防止枠（121）を設置してあります。反射カップ（120）は反射面（128）と背面があります。反射面（128）は発光ダイオードが発射する光線を反射します。反射カップ（120）の背面に留め金（124）を設けて、上記の留め金は弾力性を持って、反射カップを基準ホール（118）に接続します。
【００４３】
反射カップ（120）は正方形口縁状の頂上部（129）、正方形口縁状の底部（126）及び頂上部（129）と底部（126）を接続する反射部を含めます。図9、11の通り、左開き口方向の反射カップ（120）の中に、反射部は内横面（123）、外横面（127）、内直面（122）、外直面（125）の四つ部分に構成されます。外横面（127）と外直面（125）は平面、内直面（122）と内横面（123）は曲面です。内横面（123）は放物面、内直面（122）は円柱面です。
【００４４】
反射カップの頂上部（129）と底部（126）の距離は1cmです。図10、12の通りに、外横面（127））と基板（110）の夾角αは25〜45度、最適化25〜30度の間、内横面（123）と基板（110）の夾角αは70〜90度の間です。外直面（125）と基板（110）の夾角γは50〜70度の間、内直面（122）と基板（110）のδは95〜110度の間です。
【００４５】
図4、9の通りに、基板110の生面に留め金（124）と配合するスロット（111）を設置して、留め金（124）の背面に強化筋（131）を設置してあります。反射カップ120の外横面（127）の背面にブラケット（132）を設置してあります。
【００４６】
実施例2：図8〜13の通り、LED街灯反射板です。それは二つエリアを含めます。各エリアの中に12個基準ホールを開設して、基準ホールは反射カップ（120）の据付に使います。二つエリアの中の反射カップ（120）の開き口方向は違います。二つエリアの中間線は道路の走向方向に垂直して、二つエリア中の反射カップ（120）は分別に、反射カップ中の発光ダイオードが発射する光を道沿い走向方向に向き、前と後ろ向きに反射します。
【００４７】
図10反射カップ（120）は道路沿い走向方向の断面図です。それは反射カップが道路沿い走向方向の反射光線の線路を反映する図面です。図の通りに発光ダイオード（230）が発射する光は、道路の走向方向に均一に分布されています。
【００４８】
同時に、発光ダイオードが発射する光線は直接に電灯の下に、複数発光カップのスペクトルの重なりにより照射強度を満足して、二つ相隣街灯の光が重ならなくて、暗影も発生しないので、スペクトルの結合を実現して、スペクトル間には重なりと暗影を存在しないように保証しました。
【００４９】
図11の通り、右側開き口の反射カップ（120）は、外横面（127）の背面に留め金（132）を設置して、反射カップ（120）の底部（129）に阻止枠（121）を設けます。反射カップ120の背面に留め金（124）を設置して、上記の留め金（124）は弾性留め金なので、反射カップ（120）を基準ホール（118）内に挟むために使いします。
【００５０】
反射カップ（120）は正方形口縁状の頂上部（129）、正方形口縁状の底部（126）及び頂上部（129）と底部（126）を接続する反射部を含めます。
【００５１】
図14の通り、反射板はLED街灯に用いて、反射板状に二組反射カップを開設して、反射カップ組1と反射カップ組2、その開き口は弁別にM方向とN方向に向きます。電気柱（160）は道路（150）の片側にあります。当該LED街灯は道路（150）に均一細長い形のスペクトルを形成しました。当該細長い照射スペクトルは、8個反射カップが反射する光の重なり形成して、それが相互に融合に光度均一の照射スペクトルを形成して、非道路エリアの散乱光は殆ど途絶することができます。
【００５２】
本実施例の他部分は実施例1と同等します。
【００５３】
注意しなければならないことは、本実施例のシングル反射カップは、実施例1のシングル反射カップの構造は基本に同じく、そのために実施例1が反射カップの構造説明は添付図面9〜13を結合しました。
【図１】
0003158787.tif 000003
【図２】
0003158787.tif 000004
【図３】
0003158787.tif 000005
【図４】
0003158787.tif 000006
【図５】
0003158787.tif 000007
【図６】
0003158787.tif 000008
【図７】
0003158787.tif 000009
【図８】
0003158787.tif 000010
【図９】
0003158787.tif 000011
【図１０】
0003158787.tif 000012
【図１１】
0003158787.tif 000013
【図１２】
0003158787.tif 000014
【図１３】
0003158787.tif 000015
【手続補正書】
【提出日】平成22年2月17日(2010.2.17)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ街灯の反射板であって、
基板を含み、基板に若干の反射カップを設置し、
若干の反射カップは、その開き口方向の違いにより二組に分け、
組毎の反射カップ組内の反射カップの開き方向は一致しており、
異なった組別の反射カップの開き方向は、道路の走行方向と逆になることを特徴とするＬＥＤ街灯の反射板。
【請求項２】
反射カップが頂上部、底部及び頂上部と底部を連結する反射部を含み、
反射部は「内横面」、「外横面」、「内直面」、「外直面」という四つの面により構成され、
「外横面」と「外直面」は平面、「内直面」と「内横面」は曲面であることを特徴とする請求項１に記載のＬＥＤ街灯の反射板。
【請求項３】
「内直面」は円柱面、「内横面」は放物面であることを特徴とする請求項２に記載のＬＥＤ街灯の反射板。
【請求項４】
基板に若干の基準ホールを設け、基準ホールは反射カップを乗せる用途であり、
反射カップの底部に反射カップ位置超過の防止枠を設けたことを特徴とする請求項１に記載のＬＥＤ街灯の反射板。
【請求項５】
反射カップの裏側に留め金を設置して、基板の裏側に留め金と配合するスロットを設置して、留め金に強化筋をつけ、
基準ホール縁の放射状方向に若干の凸状筋を設置し、反射カップの外横面の背面にブラケットを設けたことを特徴とする請求項４に記載のＬＥＤ街灯の反射板。
【請求項６】
外横面と基板の夾角は25〜45度の間、内横面と基板の夾角は70〜90度の間であり、
外直面と基板の夾角は50〜70度の間、内直面と基板の夾角は95〜100度の間であることを特徴とする請求項２に記載のＬＥＤ街灯の反射板。